(57)【要約】【課題】釣銭の払い出し機能を有さずとも紙幣及び／又は硬貨を受け付けて販売対象の販売を行なうことができる安価な自動販売機を提供する。【解決手段】販売対象の販売金額が情報表示灯５１に表示され、受け付け可能な金種の紙幣及び硬貨が金種表示灯５３の点灯によって表示される。販売金額以下の金額である金種の紙幣又は硬貨は受け付け可能であるが、投入総額と販売金額との差額が算出され、差額よりも大きい金額の金種の紙幣又は硬貨は釣銭が発生するので受け付けることが不可能な金種であると判断され、紙幣は紙幣投入口２１から返却、硬貨は硬貨返却口３２から返却される。なお、販売金額よりも大きい金額の金種の紙幣又は硬貨は受け付けることが不可能な金種であると判断され、紙幣は紙幣投入口２１から返却、硬貨は硬貨返却口３２から返却される。【選択図】図１
0003129281.tif 000002
【実用新案登録請求の範囲】
【請求項１】
紙幣及び硬貨の投入を受け付ける手段と、投入された紙幣及び／又は硬貨の金種を識別する手段と、投入された紙幣及び／又は硬貨の総額を算出する手段とを備え、算出した総額に応じて販売を行なうようにしてある自動販売機において、
投入された総額と販売対象に対応する金額との差額を算出する手段と、
算出した差額以下の金額の紙幣及び／又は硬貨の金種を表示する表示手段と、
投入を受け付けた紙幣又は硬貨の金種が差額よりも大きい金額の金種である場合、受け付けた紙幣又は硬貨を返却する手段と
を備え、
釣銭なしで販売を行なうようにしてあること
を特徴とする自動販売機。
【請求項２】
投入を受け付けた紙幣又は硬貨の金種が販売対象に対応する金額よりも高い金額の金種である場合、受け付けた紙幣又は硬貨を返却する手段を備えること
を特徴とする請求項１に記載の自動販売機。
【請求項３】
前記表示手段は、投入を受け付ける紙幣又は硬貨の金種夫々に対応させた表示灯によって構成されており、
前記表示灯の点灯により、受け付けることが可能な金種の紙幣及び／又は硬貨を表示するようにしてあること
を特徴とする請求項１又は２に記載の自動販売機。
【請求項４】
販売対象に対応する金額の設定を受け付ける手段
を備えることを特徴とする請求項１乃至３のいずれかに記載の自動販売機。
【請求項５】
販売対象に対応する金額を表示する手段
を備えることを特徴とする請求項１乃至４のいずれかに記載の自動販売機。
【請求項６】
印刷装置と接続する接続部と、
該接続部を介して、前記印刷装置へ売上明細記録を印刷するように指示する信号を送出する手段と
を備えることを特徴とする請求項１乃至５のいずれかに記載の自動販売機。
【請求項７】
通信回線に接続する通信部と、
該通信部を介して外部装置と通信する手段と
を備えることを特徴とする請求項１乃至６のいずれかに記載の自動販売機。
【請求項８】
販売対象は金銭的価値を持たせたカードであること
を特徴とする請求項１乃至７のいずれかに記載の自動販売機。
【考案の詳細な説明】
【技術分野】
【０００１】
本考案は、硬貨及び紙幣の投入を受け付け、投入された金額に対応する販売対象の販売を行なう自動販売機に関し、特に、釣銭の払い出し機能を有さずに販売が可能な自動販売機に関する。
【背景技術】
【０００２】
自動販売機は一般的に釣銭の払い出し機能を有することが多い。さらに、釣銭の払い出し機能については多くの技術が提案されている。特許文献１には、投入された金額と販売金額との差額が大きい場合に少額の物品は販売しないようにすることによって釣銭の払い出しを両替的に使用できないようにする技術が開示されている。また、特許文献２には、５円硬貨を受け付けることができる自動販売機の技術が開示されている。
【０００３】
販売物が飲料、タバコ等の少額の硬貨を使用することが多い物品である場合は釣銭の算出及び払い出し機能は重要である一方、販売物がプリペイドカード等の千円単位で価格が設定される物品である場合、更に千円単位で価格が設定されたサービスが提供される場合は釣銭を払い出す機能は必ずしも必要ではない。
【特許文献１】実開平４−１２３４８４号公報
【特許文献２】特開平１０−２８３５４３号公報
【考案の開示】
【考案が解決しようとする課題】
【０００４】
自動販売機が釣銭の払い出し機能を備える場合、その釣銭の払い出し機能により自動販売機一台当りのコストが高くなる。そこで、千円単位で価格が設定された販売対象に対して販売を行なう自動販売機は、釣銭の払い出し機能を備えずに千円紙幣のみを受け付けて販売を行なうように構成してコストを抑えることも可能である。
【０００５】
しかしながら、千円単位で価格が設定された物品又はサービスであっても、硬貨の投入を受け付けない場合は自動販売機の利用者にとって不都合である。
【０００６】
また、自動販売機において千円単位で販売額を定額に設定している場合、端数となる消費税は自動販売機を設置して物品を販売又はサービスを提供する業者が内税として負担することが一般に行なわれている。しかしながら、近い将来に対して消費税の税率上昇を見据えた場合、千円単位に価格を設定したまま、増加する消費税分を自動販売機の設置業者が内税として負担し続けることは業者にとって酷である。
【０００７】
本考案は斯かる事情に鑑みてなされたものであり、紙幣のみならず硬貨の投入を受け付け、販売対象に対応する金額と投入された金額との差額以下の金種のみを受け付け可能な金種として表示し、受け付け不可能な金種の紙幣及び硬貨は返却する構成により、釣銭の払い出し機能を有さずとも紙幣及び／又は硬貨を受け付けて販売対象の販売を行なうことができる安価な自動販売機を提供することを目的とする。
【０００８】
本考案の他の目的は、釣銭が発生しないような受け付け可能な紙幣及び／又は硬貨の金種に対応させた表示灯を点灯させる構成により、投入することが可能な金種を顧客が認識することができる自動販売機を提供することにある。
【０００９】
本考案の他の目的は、販売対象の価格の設定が可能な構成とすることにより、販売対象の価格を変更することができる自動販売機を提供することにある。
【００１０】
本考案の他の目的は、販売対象の価格を表示することが可能な構成とすることにより、設定に応じた販売金額が表示され、顧客にとって販売金額が分かりやすい自動販売機を提供することにある。
【００１１】
本考案の他の目的は、自動販売機の売上明細記録を印刷する印刷装置と接続することができる構成とすることにより、安価であっても簡易に売上明細記録を参照することができる自動販売機を提供することにある。
【００１２】
また、本考案の他の目的は、通信回線と接続することができる接続部を備える構成とすることにより、安価であっても通信部及び通信回線を介して遠隔地にある外部装置からの状態監視、販売管理等を行なうことができる自動販売機を提供することにある。
【課題を解決するための手段】
【００１３】
第１の考案に係る自動販売機は、紙幣及び硬貨の投入を受け付ける手段と、投入された紙幣及び／又は硬貨の金種を識別する手段と、投入された紙幣及び／又は硬貨の総額を算出する手段とを備え、算出した総額に応じて販売を行なうようにしてある自動販売機において、投入された総額と販売対象に対応する金額との差額を算出する手段と、算出した差額以下の金額の紙幣及び／又は硬貨の金種を表示する表示手段と、投入を受け付けた紙幣又は硬貨の金種が差額よりも大きい金額の金種である場合、受け付けた紙幣又は硬貨を返却する手段とを備え、釣銭なしで販売を行なうようにしてあることを特徴とする。
【００１４】
これにより、投入された紙幣及び／又は硬貨の総額と販売対象に対応する金額との差額が算出され、差額以下の金額の紙幣及び／又は硬貨の金種が受け付け可能な金種として表示される。投入を受け付けた紙幣又は硬貨が差額よりも大きい金額の金種である場合は受け付けた紙幣又は硬貨が返却され、釣銭は発生しない。
【００１５】
第２の考案に係る自動販売機は、投入を受け付けた紙幣又は硬貨の金種が販売対象に対応する金額よりも高い金額の金種である場合、受け付けた紙幣又は硬貨を返却する手段を備えることを特徴とする。
【００１６】
これにより、投入を受け付けた紙幣又は硬貨が販売対象に対応する金額よりも高い場合は受け付けた紙幣又は硬貨が返却され、釣銭は発生しない。
【００１７】
第３の考案に係る自動販売機は、前記表示手段は、投入を受け付ける紙幣又は硬貨の金種夫々に対応させた表示灯によって構成されており、前記表示灯の点灯により、受け付けることが可能な金種の紙幣及び／又は硬貨を表示するようにしてあることを特徴とする。
【００１８】
これにより、投入を受け付けることが可能な金種の紙幣及び／又は硬貨に対し、その紙幣及び／又は硬貨に対応させた表示灯が点灯する。
【００１９】
第４の考案に係る自動販売機は、販売対象に対応する金額の設定を受け付ける手段を備えることを特徴とする。
【００２０】
これにより、販売対象に対応する金額の設定を受け付けることが可能となる。
【００２１】
第５の考案に係る自動販売機は、販売対象に対応する金額を表示する手段を備えることを特徴とする。
【００２２】
これにより、変更に対しても変更後の金額を表示させることが可能となる。
【００２３】
第６の考案に係る自動販売機は、印刷装置と接続する接続部と、該接続部を介して、前記印刷装置へ売上明細記録を印刷するように指示する信号を送出する手段とを備えることを特徴とする。
【００２４】
これにより、接続された印刷装置によって販売対象の売上明細記録を印刷することが可能となる。
【００２５】
第７の考案に係る自動販売機は、通信回線に接続する通信部と、該通信部を介して外部装置と通信する手段とを備えることを特徴とする。
【００２６】
これにより、接続された外部装置との間で通信することが可能となる。
【００２７】
第８の考案に係る自動販売機は、販売対象は金銭的価値を持たせたカードであることを特徴とする。
【００２８】
これにより、金銭的価値を持たせたカードを釣銭なしで販売することが可能となる。
【考案の効果】
【００２９】
第１の考案による場合は、釣銭が発生しない受け付け可能な紙幣及び／又は硬貨の金種が表示され、投入金額と販売金額との差額よりも金額が大きく釣銭が発生するような金種の紙幣及び／又は硬貨は返却する構成とする。これにより自動販売機は、釣銭が発生しないように受け付ける紙幣及び／又は硬貨を限定し、釣銭の払い出し機能を備えずとも販売対象の販売を行なうことができる。また、釣銭の払い出し機能を備えない構成とすることにより自動販売機を安価にすることができる。さらに、釣銭切れを防止するために定期的に釣銭用の紙幣及び硬貨を補充する必要がない。
【００３０】
第２の考案による場合は、自動販売機は釣銭が発生しないように販売対象に対応する金額よりも高い金額の紙幣又は硬貨を返却する構成とすることにより、釣銭の払い出し機能を備えずとも販売対象の販売を行なうことができ、自動販売機を安価にすることができる。さらに、釣銭切れを防止するために定期的に釣銭用の紙幣及び硬貨を補充する必要がない。
【００３１】
第３の考案による場合は、自動販売機では釣銭が発生しないような受け付け可能な紙幣及び／又は硬貨の金種について紙幣及び硬貨夫々に対応させた表示灯が点灯するので、投入することが可能な金種を顧客が認識することができる。
【００３２】
第４の考案による場合は、自動販売機は販売対象の価格の設定が可能である。したがって、消費税率上昇等に対応させて販売対象の価格を変更することができる。
【００３３】
第５の考案による場合は、販売対象に対応する金額が表示される。自動販売機は、販売対象に対応する価格が変更されて設定された場合であっても設定に応じた販売金額を表示することができ、顧客にとっても販売金額が分かりやすい。
【００３４】
第６の考案による場合は、自動販売機は接続部を介して印刷装置と接続することができ、印刷装置によって自動販売機の売上明細記録を印刷することができる。これにより、釣銭の払い出し機能を有さずに安価な自動販売機であっても簡易に売上明細記録を参照することができる。
【００３５】
第７の考案による場合は、自動販売機は通信部及び通信回線を介して外部装置と通信することができ、遠隔地からの状態監視、販売管理等が可能である。
【００３６】
第８の考案による場合は、自動販売機は釣銭の払い出しが必ずしも必要とならないような金銭的価値を持たせたカードの販売を釣銭なしで行なうことができる。
【考案を実施するための最良の形態】
【００３７】
以下、本考案をその実施の形態を示す図面に基づいて具体的に説明する。
【００３８】
図１は、本考案に係る自動販売機の外観を示す正面図である。本考案の実施の形態における自動販売機は、主にホテル、旅館等の宿泊施設に設置されており、顧客が宿泊施設でのビデオ、映画、テレビ番組等を視聴するための料金に対応する金銭的価値を持たせたプリペイドカードを販売する販売機である。本考案の自動販売機は、紙幣は千円紙幣のみを受け付け、硬貨は五百円硬貨又は百円硬貨のみを受け付け、例として販売額が１２００円に設定された一種類のプリペイドカードを販売するようにしてある。
【００３９】
本実施の形態における自動販売機は、正面に千円紙幣を受け付ける紙幣投入口２１と、五百円硬貨又は百円硬貨を受け付ける硬貨投入口３１と、投入された硬貨が返却される硬貨返却口３２と、硬貨を返却させるための操作を受け付ける硬貨返却レバー３３と、販売されたカードが払い出されるカード払出口４１と、販売されるカードの販売金額、メッセージ等の各種情報を表示する情報表示灯５１と、販売中であること表示する販売表示灯５２と、受け付け可能な金種を表示する金種表示灯５３とを備えている。
【００４０】
顧客は販売表示灯５２が点灯中に、紙幣投入口２１又は硬貨投入口３１から、総額が情報表示灯５１に表示されているプリペイドカードの販売金額である１２００円となるように千円紙幣、五百円硬貨又は百円硬貨を投入する。総額が１２００円となった場合に、カード払出口４１からプリペイドカードが払い出される。購入を中止する場合、硬貨が詰まった場合等に顧客が硬貨返却レバー３３を操作したとき、投入された硬貨は硬貨返却口３２から返却される。なお、本考案の自動販売機が受け付けることが可能な金種は金種表示灯５３によって示され、それ以外の金種の紙幣又は硬貨を紙幣投入口２１又は硬貨投入口３１から投入された場合、硬貨返却口３２から返却される。
【００４１】
情報表示灯５１、金種表示灯５３及び販売表示灯５２はいずれもＬＥＤ（Ｌｉｇｈｔ  Ｅｍｉｔｔｉｎｇ  Ｄｉｏｄｅ）を有している。情報表示灯５１は四桁分のセグメントＬＥＤで構成され、各ＬＥＤの点灯／消灯を制御することにより一桁ずつ数字、アルファベット、記号等の文字が表示される。販売表示灯５２は、点灯している場合は販売中であることを示し、消灯している場合は販売中止中であることを示している。金種表示灯５３は、千円紙幣、五百円硬貨及び百円硬貨夫々に対して点灯／消灯が可能なＬＥＤで構成されており、点灯している場合は該当する金種が受け付け可能であることを示している。
【００４２】
図２は、本考案に係る自動販売機の内部構成を示すブロック図である。本考案に係る自動販売機は、上述の紙幣投入口２１、硬貨投入口３１、情報表示灯５１等の各部と接続して自動販売機全体の動作を制御する制御装置を内部に搭載している。制御装置は、以下に説明する各構成部と接続して動作を制御する制御部１と、紙幣の種類を識別する紙幣識別機２と、硬貨の種類を識別する硬貨識別機３と、格納されたカードを払い出すカード払出機４と、情報表示灯５１、金種表示灯５３又は販売表示灯５２の点灯／消灯を制御する表示灯駆動部５と、操作を受け付ける釦を有する操作部６と、オプションとしての図示しないプリンタと接続するための印刷接続部７と、遠隔地にある図示しないコンピュータと通信回線を介して接続するための通信部８とを備える。
【００４３】
制御部１はワンチップマイコンによって構成され、各構成部の動作の制御するＣＰＵ１０と、制御プログラムを記憶してあるＲＯＭ（Read Only Memory）及びＣＰＵ１０の動作によって発生する各種情報を記憶するＲＡＭ（Random Access Memory）からなるメモリ１１と、通信を制御する機器インタフェース１２と、表示灯駆動部５との通信を制御する表示インタフェース１３と、操作部６からの信号を受け付ける操作インタフェース１４と、印刷接続部７を介してオプションとしてのプリンタとの接続を制御する印刷インタフェース１５と、通信部８を介して通信回線と接続するための通信インタフェース１６とを有している。機器インタフェース１２、表示インタフェース１３及び操作インタフェース１４はパラレルに伝送される信号を送受信する構成部との通信を制御し、印刷インタフェース１５及び通信インタフェース１６はシリアルに伝送される信号を送受信するプリンタ及び通信回線との通信を制御する。メモリ１１は書き換え可能な不揮発性メモリであるＥＥＰＲＯＭ（Electronically Erasable and Programmable Read Only Memory）を有してもよい。
【００４４】
制御部１のＣＰＵ１０は後述に示すように、投入された紙幣又は硬貨の金種を示す信号を紙幣識別機２又は硬貨識別機３から受信し、受信した信号が示す金種が受け付け可能な金種か否かを判断し、受け付け可能な金種である場合は受け付け可を示す信号を紙幣識別機２又は硬貨識別機３へ送信する。一方、受け付け不可能な金種である場合は受け付け不可を示す信号を紙幣識別機２又は硬貨識別機３へ送信する。
【００４５】
紙幣識別機２は前述の紙幣投入口２１を含み、紙幣投入口２１から投入された紙幣の金種及び真偽を判断する機能を有する周知の装置である。紙幣識別機２は制御部１の機器インタフェース１２に接続されており、これを介してＣＰＵ１０と通信可能に接続されている。紙幣識別機２は、投入された紙幣が千円紙幣、五千円紙幣又は一万円紙幣であるか否かを判断し、金種を示す信号を制御部１のＣＰＵ１０へ送信する。紙幣識別機２は受け付け禁止を示す制御信号を制御部１のＣＰＵ１０から受信した場合は投入された紙幣を紙幣投入口２１から返却する。一方、紙幣識別機２は受け付け可を示す制御信号を制御部１のＣＰＵ１０から受信した場合は紙幣の真偽を判定し、紙幣が真券であると判定した場合のみ真券であることを示す制御信号を制御部１のＣＰＵ１０へ送信する。紙幣識別機２は紙幣が偽券であると判定した場合は紙幣投入口２１から返却する。
【００４６】
硬貨識別機３は前述の硬貨投入口３１を含み、硬貨投入口３１から投入された硬貨の金種及び真偽を判断する機能を有する周知の装置である。硬貨識別機３は紙幣識別機２同様に制御部１の機器インタフェース１２に接続されており、ＣＰＵ１０と通信可能に接続されている。硬貨識別機３は投入された硬貨の金種を識別し、金種を示す信号を制御部１のＣＰＵ１０へ送信する。硬貨識別機３は受け付け禁止を示す制御信号を制御部１のＣＰＵ１０から受信した場合、投入された硬貨を硬貨返却口３２から返却する。一方、硬貨識別機３は受け付け可を示す制御信号を制御部１のＣＰＵ１０から受信した場合は硬貨の真偽を判定し、硬貨が真硬貨であると判定した場合のみ真硬貨であることを示す制御信号を制御部１のＣＰＵ１０へ送信する。硬貨識別機３は硬貨が偽硬貨であると判定した場合は投入された硬貨を硬貨返却口３２から返却する。
【００４７】
制御部１のＣＰＵ１０は、紙幣識別機２又は硬貨識別機３からの真券又は真硬貨であることを示す制御信号を受信した場合、夫々の金種が示す金額を加算して総額を算出する。制御部１のＣＰＵ１０は、算出した総額がプリペイドカードの販売額に対応する１２００円に等しくなった場合、カード払出機４へカードの払い出しを指示する指示信号を送信する。
【００４８】
カード払出機４は前述のカード払出口４１を含み、指示を受けて格納してあるカードをカード払出口４１から排出する機能を有する周知の装置である。カード払出機４は、制御部１のＣＰＵ１０から送信される指示信号を受信した場合に格納してあるカードを排出する。カード払出機４は、カード詰まりが発生した場合はカード詰まりを示す信号を制御部１のＣＰＵ１０へ送信し、払い出したカードがカード払出口４１から取り除かれた場合は取り除かれたことを示す信号を制御部１のＣＰＵ１０へ送信する。
【００４９】
表示灯駆動部５は情報表示灯５１、販売表示灯５２及び金種表示灯５３夫々に対し、制御部１のＣＰＵ１０から送信される制御信号に基づいてＬＥＤの点灯／消灯を制御する。
【００５０】
操作部６は、操作を受け付ける釦を有しており、本考案に係る自動販売機を管理する業者は、操作部６が有する釦と釦の操作によって情報が表示される情報表示灯５１とを使用して設定、エラー対処等の管理を行なう。制御部１のＣＰＵ１０は、操作部６が有する釦の押下を検知し、検知した釦の押下に応じて設定を受け付ける。例えば操作部６は三つの釦を有している。三つの釦の内の一の釦は自動販売機の運転モードを選択する釦であり、制御部１のＣＰＵ１０は当該釦の押下を検知する都度、販売モードと管理モードとで運転モードを切り換える。また、他の一の釦は管理モードに切り換えられた場合に設定項目を選択する釦であり、制御部１のＣＰＵ１０は当該釦の押下を検知する都度、自動販売機の動作テストを行なうのか、販売金額を設定するのか等の設定項目を切り換える。残る一の釦は決定を通知する釦であり、制御部１のＣＰＵ１０は当該釦の押下を検知した場合、切り換えられた設定項目が選択されたことを検知する。
【００５１】
本考案に係る自動販売機を管理する業者は、操作部６が有する釦の操作によって販売するプリペイドカードの金額を設定することが可能である。業者は操作部６の釦を押下して、運転モードを管理モードに切り換えた上で販売金額の設定をするように設定項目を選択し、決定を通知して販売金額の設定を行なう。業者は情報表示灯５１に表示された販売金額に対して操作部６の釦の内の設定項目を切り換える釦を押すことにより金額の高低を操作し、決定を通知する釦によって販売金額を設定する。
【００５２】
印刷接続部７はプリンタとＲＳ−２３２Ｃの規格に基づいて通信することができるように、ＲＳ−２３２Ｃインタフェースを備える。自動販売機を管理する業者は操作部６の釦を押下して、運転モードを販売モードに切り換えた上で売上明細記録を印刷する設定項目を選択し、決定を通知する。これにより、自動販売機の制御部１のＣＰＵ１０は、上述のような操作を操作部６を介して検知し、印刷接続部７を介して接続されたプリンタに自動販売機の売上明細記録を印刷するように示す信号を送信することが可能である。なお、印刷接続部７はＲＳ−２３２Ｃインタフェースを備える構成とは限らず、ＵＳＢインタフェースを備えてプリンタと接続することができるようにしてある構成でもよい。
【００５３】
通信部８はＬＡＮ（Local Area Network）を介してコンピュータと通信が可能となるようにＬＡＮインタフェースを備える。本考案に係る自動販売機を管理する業者は、通信部８が有するＬＡＮインタフェースと専用線又はインターネット等のパケット交換網とをＬＡＮケーブルによって接続し、遠隔地にある管理用コンピュータが自動販売機の制御部１と通信して制御部１のメモリ１１に記憶されている各種情報を取得するほか、逆に制御部１のメモリ１１へ各種情報を記憶させる操作が可能である。
【００５４】
上述のように構成される本考案の自動販売機の制御装置は、プリペイドカードの販売処理において、釣銭が発生しないように投入された紙幣又は硬貨の総額と販売対象であるプリペイドカードの販売額（１２００円）との差額に応じて、受け付けることができる金種を制限する制御を行なう。
【００５５】
図３及び図４は、本考案に係る自動販売機に内蔵された制御装置の販売処理手順を示すフローチャートである。
【００５６】
制御装置を構成する制御部１のＣＰＵ１０は、図示しない電源回路を介して電源がオンになった場合、プリペイドカードの販売が可能か否かを判断する（ステップＳ１０１）。制御部１のＣＰＵ１０は、メモリ１１に異常がないか、紙幣識別機２又は硬貨識別機３との通信に異常がないか、カード払出機４との通信に異常がないか、表示灯駆動部５との通信に異常がないか等を各構成部と制御信号を送受信することによって判断する。
【００５７】
制御部１のＣＰＵ１０は、販売が不可能であると判断した場合（Ｓ１０１：ＮＯ）、処理をステップＳ１０１へ戻して販売が可能であると判断するまで待機する。なお、販売が不可能であると判断した場合（Ｓ１０１：ＮＯ）、制御部１のＣＰＵ１０は表示灯駆動部５へ制御信号を送信することによって情報表示灯５１にエラーを表示する。
【００５８】
制御部１のＣＰＵ１０は、販売が可能であると判断した場合（Ｓ１０１：ＹＥＳ）、表示灯駆動部５へ制御信号を送信することによって販売中であることを示す販売表示灯５２を点灯させる（ステップＳ１０２）。制御部１のＣＰＵ１０は、表示灯駆動部５へ制御信号を送信することによって情報表示灯５１に販売額を表示し（ステップＳ１０３）、同様に表示灯駆動部５へ制御信号を送信することによって千円紙幣、五百円硬貨、百円硬貨全てに対応する金種表示灯５３を点灯させる（ステップＳ１０４）。
【００５９】
次に制御部１のＣＰＵ１０は、紙幣識別機２又は硬貨識別機３から金種を示す信号を受信したか否かによって紙幣又は硬貨が投入されたか否かを判断する（ステップＳ１０５）。制御部１のＣＰＵ１０は、紙幣又は硬貨が投入されていないと判断した場合（Ｓ１０５：ＮＯ）、処理をステップＳ１０５へ戻して紙幣又は硬貨が投入されたと判断するまで待機する。
【００６０】
制御部１のＣＰＵ１０は、紙幣又は硬貨が投入されたと判断した場合（Ｓ１０５：ＹＥＳ）、受け付け可能な金種であるか否かを判断する（ステップＳ１０６）。本考案に係る自動販売機は千円紙幣、五百円硬貨又は百円硬貨のみ受け付けるので、それ以外の紙幣又は硬貨は受け付け不可能な金種であると判断する。一方、千円紙幣、五百円硬貨又は百円硬貨は原則として受け付け可能な金種であると判断するが、釣銭が発生する場合は受け付け不可能な金種であると判断する。
【００６１】
制御部１のＣＰＵ１０は、ステップＳ１０６において受け付け可能な金種でないと判断した場合（Ｓ１０６：ＮＯ）、紙幣識別機２又は硬貨識別機３へ受け付け禁止を示す制御信号を送信することによって受け付けた紙幣又は硬貨を紙幣投入口２１又は硬貨返却口３２から返却し（ステップＳ１０７）、処理をステップＳ１０５へ戻して紙幣又は硬貨が投入されたと判断するまで待機する。
【００６２】
制御部１のＣＰＵ１０は、ステップＳ１０６において受け付け可能な金種であると判断した場合（Ｓ１０６：ＹＥＳ）、販売額（１２００円）と投入された紙幣及び硬貨の投入総額との差額を算出する（ステップＳ１０８）。
【００６３】
次に制御部１のＣＰＵ１０は、算出した差額が０円に等しいか否かを判断する（ステップＳ１０９）。制御部１のＣＰＵ１０は、差額が０円に等しくないと判断した場合（Ｓ１０９：ＮＯ）、表示灯駆動部５へ制御信号を送信することによって情報表示灯５１に差額を表示し（ステップＳ１１０）、差額が１０００円よりも少ないか否かを判断する（ステップＳ１１１）。
【００６４】
制御部１のＣＰＵ１０は、差額が１０００円よりも少ないと判断した場合（Ｓ１１１：ＹＥＳ）、次に千円紙幣を受け付けると釣銭が発生するので千円紙幣を受け付け禁止の金種とし、表示灯駆動部５へ制御信号を送信することによって千円紙幣に対応する金種表示灯５３を消灯させ（ステップＳ１１２）、差額が５００円よりも少ないか否かを判断する（ステップＳ１１３）。
【００６５】
制御部１のＣＰＵ１０は、差額が１０００円以上であると判断した場合は（Ｓ１１１：ＮＯ）、ステップＳ１１３の差額が５００円よりも少ないか否かを判断する（Ｓ１１３）。
【００６６】
制御部１のＣＰＵ１０は、差額が５００円よりも少ないと判断した場合（Ｓ１１３：ＹＥＳ）、次に五百円硬貨を受け付けると釣銭が発生するので五百円硬貨を受け付け禁止の金種とし、表示灯駆動部５へ制御信号を送信することによって五百円硬貨に対応する金種表示灯５３を消灯させ（ステップＳ１１４）、処理をステップＳ１０５へ戻して次の紙幣又は硬貨が投入されたと判断するまで待機する。
【００６７】
制御部１のＣＰＵ１０は、差額が５００円以上であると判断した場合は（Ｓ１１３：ＮＯ）、処理をステップＳ１０５へ戻して次の紙幣又は硬貨が投入されたと判断するまで待機する。
【００６８】
制御部１のＣＰＵ１０は、ステップＳ１０９において、差額が０円に等しいと判断した場合（Ｓ１０９：ＹＥＳ）、カード払出機４に払い出しを示す制御信号を送信することによってプリペイドカードをカード払出口４１から払い出させ（ステップＳ１１５）、表示灯駆動部５へ制御信号を送信することによって情報表示灯５１に商品のプリペイドカードを取り出すべきことを顧客に示す「ＰＵＬＬ」メッセージを表示させる（ステップＳ１１６）。
【００６９】
制御部１のＣＰＵ１０は、プリペイドカードを払い出し中であるために紙幣及び硬貨を受け付けることができないので、表示灯駆動部５へ制御信号を送信することによって販売表示灯５２を消灯させ（ステップＳ１１７）、さらに千円紙幣、五百円硬貨、百円硬貨全てに対応する金種表示灯５３を消灯させる（ステップＳ１１８）。
【００７０】
制御部１のＣＰＵ１０は、カード払出機４から取り出されたことを示す制御信号を受信したか否かによってプリペイドカードはカード払出口４１から取り出されたか否かを判断する（ステップＳ１１９）。制御部１のＣＰＵ１０は、プリペイドカードがカード払出口４１から取り出されていないと判断した場合は（Ｓ１１９：ＮＯ）、処理をステップＳ１１９へ戻してプリペイドカードが取り出されたと判断するまで待機する。
【００７１】
制御部１のＣＰＵ１０は、プリペイドカードがカード払出口４１から取り出されたと判断した場合（Ｓ１１９：ＹＥＳ）、プリペイドカードの販売処理を終了して処理をステップＳ１０１へ戻し、次のプリペイドカードの販売処理を継続する。
【００７２】
本考案に係る自動販売機は、上述のような処理手順によって受け付け不可能な金種の紙幣又は硬貨を示す金種表示灯５３を点灯／消灯し、受け付け不可能な金種の紙幣又は硬貨は返却する。これにより、顧客は釣銭が発生するような紙幣又は硬貨を投入することはなく、自動販売機は釣銭を払い出す必要がない。
【００７３】
図５は、本考案に係る自動販売機において、投入された紙幣又は硬貨に応じて制御装置によって制御される金種表示灯５３の点灯／消灯を示す説明図である。
【００７４】
図５（ａ）は、図３及び図４に示した処理手順において、ステップＳ１０５で紙幣又は硬貨が投入されたと判断する前であり、情報表示灯に販売額１２００円が表示され、ステップＳ１０４で千円紙幣、五百円硬貨及び百円硬貨に対応している金種表示灯５３が全て点灯されている状態を示している。図５（ａ）に示されている状態は、販売額１２００円に対して投入された紙幣及び硬貨の投入総額が０円である。
【００７５】
図５（ｂ）は、図５（ａ）に示した状態において千円紙幣が投入された場合の金種表示灯５３が点灯している状態を示しており、販売額１２００円に対して投入された紙幣及び硬貨の投入総額は１０００円である。この場合、販売額と投入総額との差額が２００円であり、情報表示灯５１に差額、即ち残金額の２００円が示されている。千円紙幣又は五百円硬貨が投入された場合は釣銭が発生するので千円紙幣及び五百円硬貨に対応する金種表示灯５３は消灯している。
【００７６】
図５（ｃ）は、図５（ａ）に示した状態において五百円硬貨が投入された場合の金種表示灯５３が点灯している状態を示しており、販売額１２００円に対して投入された紙幣及び硬貨の投入総額は５００円である。この場合、販売額と投入総額との差額が７００円であり、情報表示灯５１に差額、即ち残金額の７００円が示されている。千円紙幣が投入された場合は釣銭が発生するので千円紙幣に対応する金種表示灯５３は消灯している。
【００７７】
図５（ｃ）に示した状態において次に五百円硬貨が投入された場合は、投入総額は１０００円となり販売額との差額は２００円となる。その後さらに五百円硬貨が投入された場合は釣銭が発生するので、五百円硬貨に対応する金種表示灯５３は消灯される。
【００７８】
図５（ｄ）は、図５（ａ）に示した状態において百円硬貨が投入された場合の金種表示灯５３が点灯している状態を示しており、販売額１２００円に対して投入された紙幣及び硬貨の投入総額は１００円である。この場合、販売額と投入総額との差額が１１００円であり、情報表示灯５１に差額、即ち残金額の１１００円が示されている。次に千円紙幣、五百円硬貨及び百円硬貨のいずれが投入された場合であっても釣銭は発生しないので千円紙幣、五百円効果及び百円硬貨は全て受け付け可能であり、金種表示灯５３は図５（ａ）と同様の状態である。
【００７９】
図５（ｄ）に示した状態において次に五百円硬貨が投入された場合は、投入総額は６００円となり販売額との差額は６００円となる。その後、千円紙幣が投入された場合は釣銭が発生するので、千円紙幣に対応する金種表示灯５３は消灯される。
【００８０】
図５（ｅ）は、本考案に係る自動販売機に投入された紙幣及び硬貨の投入総額が販売額１２００円に等しくなりカード払出口４１からカードが払い出され、図３及び図４に示した処理手順において、ステップＳ１１６及びステップＳ１１８で示したように「ＰＵＬＬ」メッセージが表示され、金種表示灯５３がすべて消灯されている状態を示している。
【００８１】
本考案に係る自動販売機は上述のような構成により、釣銭が発生するような紙幣又は硬貨を受け付け不可能な金種であるとして返却する。これにより、釣銭の払い出し機能を有さずとも販売を行なうことができる。釣銭の払い出し機能を備えない構成とすることで自動販売機を安価にすることができ、釣銭切れを防止するために釣銭用の紙幣及び硬貨の補充管理を行なう必要がない。
【００８２】
また、受け付け不可能な金種の紙幣又は硬貨については、金種表示灯５３が消灯されていることによって示されるので、顧客は販売機を利用するために必要な金種を認識することができる。
【００８３】
実施の形態における本考案に係る自動販売機は、操作部６が有する操作ボタンを操作することによって販売対象の価格の設定が可能であり販売対象の価格を変更することができる。販売対象の価格が変更された場合であっても、価格が情報表示灯５１に表示されるので、顧客にとっても販売金額が分かりやすい。
【００８４】
なお、本実施の形態における本考案の自動販売機は、紙幣又は硬貨の金種夫々に対応させた金種表示灯５３を情報表示灯５１に近接した位置に配し、金種夫々に対応する金種表示灯５３の点灯によって受け付けることが可能な金種の紙幣及び／又は硬貨を表示する構成とした。しかしながら本考案はこれに限らず、千円紙幣、五百円硬貨及び百円硬貨のいずれが受け付けることが可能な金種であるのかが認識できるのであれば、百円硬貨及び五百円硬貨に対応する金種表示灯５３は硬貨投入口３１に近接した位置に配する構成とし、千円紙幣に対応する金種表示灯５３は紙幣投入口２１に近接した位置に配する構成でもよい。また、情報表示灯５１によって受け付け可能な金種を表示する構成としてもよい。さらに、本実施の形態における自動販売機の情報表示灯５１はセグメントＬＥＤによる構成としたがこれに限らず、液晶画面で構成してもよい。本実施の形態は、紙幣投入口２１、硬貨投入口３１、硬貨返却口３２、硬貨返却レバー３３、カード払出口４１、情報表示灯５１、販売表示灯５２及び金種表示灯５３が配される位置について、本実施の形態における自動販売機のように配されると限定するものではない。
【００８５】
本実施の形態における本考案の自動販売機は、金銭的価値を持たせたプリペイドカードを販売する構成とした。しかしながら本考案はこれに限らず物品を販売する構成でもよく、投入された金額に対してサービスが提供されるような構成でもよい。
【００８６】
また、本実施の形態における本考案の自動販売機は紙幣又は硬貨が投入された場合、販売金額と投入総額との差額を情報表示灯５１に表示する構成とした。しかしながら本考案はこれに限定されず、投入総額を情報表示灯５１に表示する構成でもよい。
【図面の簡単な説明】
【００８７】
【図１】本考案に係る自動販売機の外観を示す正面図である。
【図２】本考案に係る自動販売機の内部構成を示すブロック図である。
【図３】本考案に係る自動販売機に内蔵された制御装置の販売処理手順を示すフローチャートである。
【図４】本考案に係る自動販売機に内蔵された制御装置の販売処理手順を示すフローチャートである。
【図５】本考案に係る自動販売機において、投入された紙幣又は硬貨に応じて制御装置によって制御される金種表示灯の点灯／消灯を示す説明図である。
【符号の説明】
【００８８】
１  制御部
２  紙幣識別機
３  硬貨識別機
４  カード払出機
５  表示灯駆動部
６  操作部
７  印刷接続部
８  通信部
１０  ＣＰＵ
２１  紙幣投入口
３１  硬貨投入口
４１  カード払出口
５１  情報表示灯
５３  金種表示灯
【図１】
0003129281.tif 000003
【図２】
0003129281.tif 000004
【図３】
0003129281.tif 000005
【図４】
0003129281.tif 000006
【図５】
0003129281.tif 000007